(57)【要約】【課題】受信装置の配置方向に起因して放熱器の放熱性が低下するのを抑制することが可能な受信装置を提供する。【解決手段】この受信装置１は、基板１２が収納されるシールドケース１１と、基板１２に搭載された映像音声処理回路部品１２ｃ、映像音声処理用メモリ１２ｄおよび映像音声出力回路部品１２ｅに当接された放熱器１３とを備えている。放熱器１３には、放熱器１３をシールドケース１１に固定するための係合部１３ｅが設けられている。シールドケース１１には、放熱器１３をシールドケース１１に対して９０°異なる向き（第１の向きおよび第２の向き）に固定するための固定部１１ｅおよび１１ｆが設けられている。【選択図】図１
2009105243.tif 000002
【特許請求の範囲】
【請求項１】
回路部品が搭載された基板と、
前記基板が収納されるシールドケースと、
前記回路部品に当接された放熱器と、
前記放熱器を前記シールドケースに固定するための固定部材とを備え、
前記シールドケースには、前記放熱器を前記シールドケースに対して第１の向きに固定するために前記固定部材が取り付けられる第１固定部と、前記放熱器を前記シールドケースに対して第２の向きに固定するために前記固定部材が取り付けられる第２固定部とが設けられていることを特徴とする受信装置。
【請求項２】
前記固定部材は、前記放熱器に一体的に形成されていることを特徴とする請求項１に記載の受信装置。
【請求項３】
前記固定部材は、複数からなり、
前記複数の固定部材のうちの少なくとも１つは、他の固定部材とは異なる形状に形成されていることを特徴とする請求項２に記載の受信装置。
【請求項４】
前記固定部材は、複数からなり、
前記複数の固定部材のうちの少なくとも１つは、前記シールドケースが取り付けられるマザー基板の表面に向かって略垂直に延びる垂直部を含むことを特徴とする請求項１〜３のいずれか１項に記載の受信装置。
【請求項５】
前記固定部材の垂直部は、前記マザー基板および前記シールドケースの少なくとも一方に接触または挿入されていることを特徴とする請求項４に記載の受信装置。
【請求項６】
前記固定部材は、前記回路部品を中心として前記第１の向きまたは前記第２の向きに前記放熱器を固定するように構成されていることを特徴とする請求項１〜５のいずれか１項に記載の受信装置。
【請求項７】
前記固定部材を用いて前記放熱器を前記シールドケースに固定することにより、前記回路部品に前記放熱器が当接されることを特徴とする請求項１〜６のいずれか１項に記載の受信装置。
【請求項８】
前記第１の向きと、前記第２の向きとは、略９０°異なることを特徴とする請求項１〜７のいずれか１項に記載の受信装置。
【請求項９】
前記回路部品は、
アンテナが受信した高周波信号を所定周波数の信号に変換するチューナ回路部品から出力される前記所定周波数の信号を、圧縮されたデジタル信号に変換するデジタル復調回路部品と、
前記チューナ回路部品から出力される前記所定周波数の信号を所定周波数の音声信号に変換する所定周波数処理回路部品と、
前記デジタル復調回路部品から出力された前記圧縮されたデジタル信号をデジタル映像信号およびデジタル音声信号に復調する映像音声処理回路部品と、
前記デジタル映像信号および前記デジタル音声信号を記憶する映像音声処理用メモリと、
前記デジタル映像信号および前記デジタル音声信号を、それぞれ、アナログ映像信号およびアナログ音声信号に変換する映像音声出力回路部品とを含み、
前記デジタル復調回路部品、前記所定周波数処理回路部品、前記映像音声処理回路部品、前記映像音声処理用メモリおよび前記映像音声出力回路部品のうちの少なくとも１つは、前記放熱器が当接されていることを特徴とする請求項１〜８のいずれか１項に記載の受信装置。
【発明の詳細な説明】
【技術分野】
【０００１】
この発明は、受信装置に関し、特に、シールドケースおよび放熱器を備えた受信装置に関する。
【背景技術】
【０００２】
従来、シールドケースおよび放熱器を備えた受信装置が知られている（例えば、特許文献１参照）。
【０００３】
上記特許文献１には、電子部品（回路部品）の周囲を囲むように配置されたシールドケースと、電子部品に当接された放熱フィン（放熱器）と、放熱フィンをシールドケースに固定するための放熱フィン抑えバネ（固定部材）とを備えた電子部品放熱装置（受信装置）が開示されている。この電子部品放熱装置では、シールドケースに、放熱フィン抑えバネを所定の向きに取り付けるための角穴部が形成されている。そして、放熱フィン抑えバネをシールドケースの角穴部に取り付けることにより、放熱フィン抑えバネがシールドケースに所定の向きに取り付けられているとともに、放熱フィンもシールドケースに対して所定の向きに取り付けられている。
【特許文献１】特開平９−２９３９８０号公報
【発明の開示】
【発明が解決しようとする課題】
【０００４】
しかしながら、上記特許文献１に開示された電子部品放熱装置（受信装置）では、放熱フィン抑えバネ（固定部材）および放熱フィン（放熱器）は、シールドケースに対して所定の向きにのみ取り付けられるように構成されているので、電子部品放熱装置が、例えば縦向きに配置される場合と、横向きに配置される場合とによって、地面に対する放熱フィンの向きが異なる。すなわち、放熱フィンのフィン部が、例えば水平方向に配置される場合と、垂直方向に配置される場合とがある。フィン部が、例えば水平方向に配置される場合、フィン部が垂直方向に配置される場合に比べて、放熱フィン周辺の暖められた空気が、上方向に移動しにくくなるので、放熱フィン周辺の空気が循環しにくくなるという不都合がある。このため、電子部品放熱装置が縦向きや横向きに配置される場合、放熱フィンの放熱性が低下する場合があるという問題点がある。
【０００５】
この発明は、上記のような課題を解決するためになされたものであり、この発明の目的は、受信装置の配置方向に起因して放熱器の放熱性が低下するのを抑制することが可能な受信装置を提供することである。
【課題を解決するための手段】
【０００６】
上記目的を達成するために、この発明の一の局面による受信装置は、回路部品が搭載された基板と、基板が収納されるシールドケースと、回路部品に当接された放熱器と、放熱器をシールドケースに固定するための固定部材とを備え、シールドケースには、放熱器をシールドケースに対して第１の向きに固定するために固定部材が取り付けられる第１固定部と、放熱器をシールドケースに対して第２の向きに固定するために固定部材が取り付けられる第２固定部とが設けられている。
【０００７】
この一の局面による受信装置では、上記のように、シールドケースに、放熱器をシールドケースに対して第１の向きに固定するために固定部材が取り付けられる第１固定部と、放熱器をシールドケースに対して第２の向きに固定するために固定部材が取り付けられる第２固定部とを設けることによって、受信装置が、例えば縦向きまたは横向きに配置される場合にも、固定部材を、シールドケースの第１固定部または第２固定部に固定すれば、放熱器を地面に対して一定の向きに配置することができる。これにより、放熱器周辺の空気が循環しにくくなるのを抑制することができるので、受信装置の配置方向に起因して放熱器の放熱性が低下するのを抑制することができる。
【０００８】
上記一の局面による受信装置において、好ましくは、固定部材は、放熱器に一体的に形成されている。このように構成すれば、固定部材をシールドケースの第１固定部または第２固定部に固定することにより、放熱器を、容易にシールドケースに対して第１の向きまたは第２の向きに固定することができる。
【０００９】
上記固定部材が放熱器に一体的に形成されている受信装置において、好ましくは、固定部材は、複数からなり、複数の固定部材のうちの少なくとも１つは、他の固定部材とは異なる形状に形成されている。このように構成すれば、放熱器がシールドケースに対して正しい向きに取り付けられているか否かを容易に識別することができる。
【００１０】
上記一の局面による受信装置において、好ましくは、固定部材は、複数からなり、複数の固定部材のうちの少なくとも１つは、シールドケースが取り付けられるマザー基板の表面に向かって略垂直に延びる垂直部を含む。このように構成すれば、複数の固定部材のうちの少なくとも１つの垂直部を、容易に、マザー基板に対して接触または挿入させることができる。これにより、放熱器の熱を固定部材を介してマザー基板に放熱させることができるので、放熱器の放熱性を向上させることができる。
【００１１】
上記複数の固定部材のうちの少なくとも１つが垂直部を含む受信装置において、好ましくは、固定部材の垂直部は、マザー基板およびシールドケースの少なくとも一方に接触または挿入されている。このように構成すれば、放熱器の熱を固定部材を介してマザー基板およびシールドケースの少なくとも一方に、容易に放熱させることができるので、放熱器の放熱性を、容易に向上させることができる。
【００１２】
上記一の局面による受信装置において、好ましくは、固定部材は、回路部品を中心として第１の向きまたは第２の向きに放熱器を固定するように構成されている。このように構成すれば、放熱器を第１の向きに固定した状態、または、第２の向きに固定した状態の両方の状態において、容易に、放熱器を回路部品に当接させることができる。
【００１３】
上記一の局面による受信装置において、好ましくは、固定部材を用いて放熱器をシールドケースに固定することにより、回路部品に放熱器が当接される。このように構成すれば、固定部材を用いて放熱器をシールドケースに固定するだけで、回路部品の熱を、放熱器を用いて放熱させることができるので、回路部品の熱を、容易に放熱させることができる。
【００１４】
上記一の局面による受信装置において、好ましくは、第１の向きと、第２の向きとは、略９０°異なる。このように構成すれば、受信装置が、縦向きや横向きのように９０°異なる向きに配置される場合に、放熱器を地面に対して一定の向きに容易に配置することができる。
【００１５】
上記一の局面による受信装置において、好ましくは、回路部品は、アンテナが受信した高周波信号を所定周波数の信号に変換するチューナ回路部品から出力される所定周波数の信号を、圧縮されたデジタル信号に変換するデジタル復調回路部品と、チューナ回路部品から出力される所定周波数の信号を所定周波数の音声信号に変換する所定周波数処理回路部品と、デジタル復調回路部品から出力された圧縮されたデジタル信号をデジタル映像信号およびデジタル音声信号に復調する映像音声処理回路部品と、デジタル映像信号およびデジタル音声信号を記憶する映像音声処理用メモリと、デジタル映像信号およびデジタル音声信号を、それぞれ、アナログ映像信号およびアナログ音声信号に変換する映像音声出力回路部品とを含み、デジタル復調回路部品、所定周波数処理回路部品、映像音声処理回路部品、映像音声処理用メモリおよび映像音声出力回路部品のうちの少なくとも１つは、放熱器が当接されている。このように構成すれば、デジタル復調回路部品、所定周波数処理回路部品、映像音声処理回路部品、映像音声処理用メモリおよび映像音声出力回路部品のうちの少なくとも１つの放熱性が低下するのを、容易に抑制することができる。
【発明の効果】
【００１６】
以上のように、本発明によれば、受信装置の配置方向に起因して放熱器の放熱性が低下するのを抑制することが可能な受信装置を容易に得ることができる。
【発明を実施するための最良の形態】
【００１７】
（第１実施形態）
図１は、本発明の第１実施形態による受信装置を横向きに配置して用いる場合の構造を示した斜視図である。図２は、本発明の第１実施形態による受信装置を縦向きに配置して用いる場合の構造を示した斜視図である。図３は、図１に示した本発明の第１実施形態による受信装置のシールドケースの固定部の構造を示した拡大図である。図４は、図１に示した本発明の第１実施形態による受信装置の放熱器の構造を示した斜視図である。図１〜図４を参照して、本発明の第１実施形態による受信装置１の構造について説明する。
【００１８】
本発明の第１実施形態による受信装置１は、デジタルテレビジョン放送等の高周波信号を受信して、映像信号や音声信号に変換する機能を有する。また、受信装置１は、図１に示すように、本体部１０と、チューナ部２０と、本体部１０およびチューナ部２０を接続する複数の電気配線３０とを備えている。
【００１９】
本体部１０は、板金製のシールドケース１１と、シールドケース１１内に収納された基板１２と、シールドケース１１に取り付けられた放熱器１３とによって構成されている。
【００２０】
シールドケース１１は、対向する上面１１ａおよび下面１１ｂと、対向する一対の側面１１ｃおよび１１ｄとが折り曲げられることによって、Ａ方向の一方側が開口した箱型に形成されている。なお、本明細書中において、Ａ方向、後述するＢ方向およびＣ方向は、シールドケース１１を基準とした方向を示す。
【００２１】
ここで、第１実施形態では、シールドケース１１の対向する上面１１ａおよび下面１１ｂには、それぞれ、互いに対向する位置に固定部１１ｅが形成されている。なお、固定部１１ｅは、本発明の「第１固定部」の一例である。
【００２２】
また、第１実施形態では、シールドケース１１の対向する一対の側面１１ｃおよび１１ｄには、それぞれ、互いに対向する位置に固定部１１ｆが形成されている。なお、固定部１１ｆは、本発明の「第２固定部」の一例である。この一対の側面１１ｃおよび１１ｄの固定部１１ｆは、上面１１ａおよび下面１１ｂの固定部１１ｅと同様の構造に形成されている。具体的には、図３に示すように、固定部１１ｅおよび１１ｆは、３つのスリット１１ｇと、３つのスリット１１ｇの間に形成された一対の凸部１１ｈとによって構成されている。
【００２３】
また、図１に示すように、一対の側面１１ｃおよび１１ｄの固定部１１ｆは、側面１１ｃの固定部１１ｆと側面１１ｄの固定部１１ｆとを結ぶ線が、上面１１ａの固定部１１ｅと下面１１ｂの固定部１１ｅとを結ぶ線に対して略直交するように形成されている。
【００２４】
基板１２には、デジタル復調回路部品１２ａと、中間周波数処理回路部品１２ｂと、映像音声処理回路部品１２ｃと、映像音声処理用メモリ１２ｄと、映像音声出力回路部品１２ｅとが搭載されている。なお、デジタル復調回路部品１２ａ、映像音声処理回路部品１２ｃ、映像音声処理用メモリ１２ｄおよび映像音声出力回路部品１２ｅは、本発明の「回路部品」の一例である。また、中間周波数処理回路部品１２ｂは、本発明の「回路部品」および「所定周波数処理回路部品」の一例である。
【００２５】
デジタル復調回路部品１２ａは、チューナ部２０の後述するチューナ回路部品２２から出力される中間周波数信号を、圧縮されたデジタル信号に変換する機能を有する。なお、中間周波数信号は、本発明の「所定周波数の信号」の一例である。中間周波数処理回路部品１２ｂは、チューナ回路部品２２から出力される中間周波数信号を音声中間周波数信号に変換する機能を有する。なお、音声中間周波数信号は、本発明の「所定周波数の音声信号」の一例である。
【００２６】
映像音声処理回路部品１２ｃは、デジタル復調回路部品１２ａから出力された圧縮されたデジタル信号をデジタル映像信号およびデジタル音声信号に復調する機能を有する。映像音声処理用メモリ１２ｄは、デジタル復調回路部品１２ａからの圧縮されたデジタル信号や、復調されたデジタル映像信号およびデジタル音声信号を記憶する機能を有する。映像音声出力回路部品１２ｅは、映像音声処理用メモリ１２ｄ（または映像音声処理回路部品１２ｃ）から出力されるデジタル映像信号およびデジタル音声信号を、それぞれ、アナログ映像信号およびアナログ音声信号に変換する機能を有する。
【００２７】
放熱器１３は、図４に示すように、Ｘ方向の長さがそれぞれ異なるコの字形状の放熱板１３ａ、１３ｂおよび１３ｃにより構成されている。この３つの放熱板１３ａ、１３ｂおよび１３ｃは、例えば接着剤などにより貼り合わせられている。また、放熱板１３ａ、１３ｂおよび１３ｃには、それぞれ、一対のフィン部１３ｄが設けられている。このフィン部１３ｄは、Ｙ方向に延びるように形成されている。なお、本明細書中において、Ｘ方向およびＹ方向は、地面を基準とした方向を示す。
【００２８】
ここで、第１実施形態では、放熱板１３ａには、Ｙ方向に突出した一対の係合部１３ｅが一体的に形成されている。なお、係合部１３ｅは、本発明の「固定部材」の一例である。
【００２９】
係合部１３ｅは、図１に示すように、シールドケース１１の固定部１１ｅのスリット１１ｇ（図３参照）のＢ方向の幅、および、固定部１１ｆのスリット１１ｇ（図３参照）のＣ方向の幅と略同じ大きさの厚みを有する。また、係合部１３ｅは、シールドケース１１の固定部１１ｅおよび１１ｆの一対の凸部１１ｈに挟み込まれた状態で固定されている。具体的には、一対の凸部１１ｈが、ペンチ等を用いて係合部１３ｅ側に変形されてかしめられることにより、係合部１３ｅが固定されている。
【００３０】
また、第１実施形態では、放熱器１３は、図１および図２にそれぞれ示すように、シールドケース１１の上面１１ａおよび下面１１ｂの固定部１１ｅに固定することが可能であるとともに、シールドケース１１の側面１１ｃおよび１１ｄの固定部１１ｆに固定することも可能である。すなわち、放熱器１３は、シールドケース１１に対して９０°異なる向き（第１の向きおよび第２の向き）に取り付けることが可能である。
【００３１】
そして、第１実施形態では、図１に示すように、チューナ部２０の後述するアンテナ接続口２１ａがＸ方向に延びるように受信装置１が配置されて用いられる場合（受信装置１が横向きに配置されて用いられる場合）には、放熱器１３の係合部１３ｅは、シールドケース１１の上面１１ａおよび下面１１ｂの固定部１１ｅに固定される。その一方、図２に示すように、チューナ部２０の後述するアンテナ接続口２１ａがＹ方向に延びるように受信装置１が配置されて用いられる場合（受信装置１が縦向きに配置されて用いられる場合）には、放熱器１３の係合部１３ｅは、シールドケース１１の側面１１ｃおよび１１ｄの固定部１１ｆに固定される。すなわち、放熱器１３は、受信装置１が使用される際の向きにかかわらず、フィン部１３ｄがＹ方向に延びるように地面に対して一定の向きに配置される。これにより、フィン部１３ｄ周辺の暖められた空気が上方向に移動しやすくなる。
【００３２】
また、第１実施形態では、放熱器１３は、シールドケース１１の固定部１１ｅまたは１１ｆに固定されることにより、映像音声処理回路部品１２ｃ、映像音声処理用メモリ１２ｄおよび映像音声出力回路部品１２ｅに当接するように構成されている。
【００３３】
また、第１実施形態では、放熱器１３は、放熱器１３が映像音声処理回路部品１２ｃ、映像音声処理用メモリ１２ｄおよび映像音声出力回路部品１２ｅを中心として、シールドケース１１に対して９０°異なる向きに固定可能に構成されている。これにより、放熱器１３の係合部１３ｅがシールドケース１１の上面１１ａおよび下面１１ｂの固定部１１ｅに取り付けられる場合と、シールドケース１１の側面１１ｃおよび１１ｄの固定部１１ｆに取り付けられる場合との両方の場合において、放熱器１３は、映像音声処理回路部品１２ｃ、映像音声処理用メモリ１２ｄおよび映像音声出力回路部品１２ｅに当接される。
【００３４】
チューナ部２０は、板金製のシールドケース２１と、シールドケース２１内に収納されたチューナ回路部品２２とによって構成されている。
【００３５】
シールドケース２１には、アンテナ（図示せず）が挿入されるアンテナ接続口２１ａが設けられている。チューナ回路部品２２は、アンテナ（図示せず）で受信した高周波信号を、中間周波数信号に変換する機能を有する。また、チューナ回路部品２２は、中間周波数信号を、電気配線３０を介してデジタル復調回路部品１２ａおよび中間周波数処理回路部品１２ｂに出力する機能を有する。
【００３６】
第１実施形態では、上記のように、シールドケース１１の上面１１ａおよび下面１１ｂに固定部１１ｅを設けるとともに、シールドケース１１の側面１１ｃおよび１１ｄに固定部１１ｆを設けることによって、受信装置１が横向きまたは縦向きに配置される場合にも、係合部１３ｅを、シールドケース１１の固定部１１ｅまたは固定部１１ｆに固定すれば、放熱器１３のフィン部１３ｄをＹ方向に延びるように配置することができる。これにより、フィン部１３ｄ周辺の暖められた空気を上方向に移動しやすくすることができるので、放熱器１３周辺の空気が循環しにくくなるのを抑制することができる。その結果、受信装置１の配置方向に起因して放熱器１３の放熱性が低下するのを抑制することができる。
【００３７】
また、第１実施形態では、係合部１３ｅを、放熱器１３に一体的に形成することによって、係合部１３ｅをシールドケース１１の固定部１１ｅまたは固定部１１ｆに固定することにより、放熱器１３を、容易にシールドケース１１に対して９０°異なる向きに固定することができる。
【００３８】
また、第１実施形態では、放熱器１３の係合部１３ｅを、映像音声処理回路部品１２ｃ、映像音声処理用メモリ１２ｄおよび映像音声出力回路部品１２ｅを中心として、シールドケース１１に対して９０°異なる向きに放熱器１３を固定可能に構成することによって、放熱器１３の係合部１３ｅがシールドケース１１の上面１１ａおよび下面１１ｂの固定部１１ｅに取り付けられる場合と、シールドケース１１の側面１１ｃおよび１１ｄの固定部１１ｆに取り付けられる場合との両方の場合において、容易に、放熱器１３を映像音声処理回路部品１２ｃ、映像音声処理用メモリ１２ｄおよび映像音声出力回路部品１２ｅに当接させることができる。
【００３９】
また、第１実施形態では、放熱器１３をシールドケース１１に固定することにより、映像音声処理回路部品１２ｃ、映像音声処理用メモリ１２ｄおよび映像音声出力回路部品１２ｅに放熱器１３が当接するように構成することによって、放熱器１３をシールドケース１１に固定するだけで、映像音声処理回路部品１２ｃ、映像音声処理用メモリ１２ｄおよび映像音声出力回路部品１２ｅの熱を、放熱器１３を用いて放熱させることができる。これにより、映像音声処理回路部品１２ｃ、映像音声処理用メモリ１２ｄおよび映像音声出力回路部品１２ｅの熱を、容易に放熱させることができる。
【００４０】
（第２実施形態）
図５は、本発明の第２実施形態による受信装置を横向きに配置して用いる場合の構造を示した斜視図である。図６は、図５に示した本発明の第２実施形態による受信装置の放熱器の構造を示した斜視図である。図５および図６を参照して、この第２実施形態では、上記第１実施形態とは異なり、受信装置１ａをマザー基板６０に取り付ける場合について説明する。
【００４１】
本発明の第２実施形態による受信装置１ａは、図５に示すように、本体部４０と、チューナ部５０と、本体部４０およびチューナ部５０を接続する複数の電気配線３０とを備えている。
【００４２】
本体部４０は、板金製のシールドケース４１と、シールドケース４１内に収納された基板１２と、シールドケース４１に取り付けられた放熱器４３とによって構成されている。
【００４３】
シールドケース４１は、対向する上面４１ａおよび下面４１ｂと、対向する一対の側面４１ｃおよび４１ｄとが折り曲げられることによって、Ａ方向の一方側が開口した箱型に形成されている。
【００４４】
また、シールドケース４１の対向する上面４１ａおよび下面４１ｂには、上記第１実施形態と同様、互いに対向する位置に固定部４１ｅがそれぞれ形成されている。また、シールドケース４１の対向する一対の側面４１ｃおよび４１ｄにも、上記第１実施形態と同様、互いに対向する位置に固定部４１ｆがそれぞれ形成されている。なお、固定部４１ｅは、本発明の「第１固定部」の一例であり、固定部４１ｆは、本発明の「第２固定部」の一例である。
【００４５】
ここで、第２実施形態では、シールドケース４１の上面４１ａおよび下面４１ｂには、それぞれ、Ａ方向の他方側に突出した挿入部４１ｇが２つずつ設けられている。この挿入部４１ｇは、シールドケース４１をマザー基板６０に取り付けるために設けられているとともに、マザー基板６０の表面に向かって略垂直に延びるように形成されている。
【００４６】
放熱器４３は、図６に示すように、上記第１実施形態と同様、Ｘ方向の長さがそれぞれ異なるコの字形状の放熱板４３ａ、４３ｂおよび４３ｃにより構成されている。また、放熱板４３ａ、４３ｂおよび４３ｃには、それぞれ、一対のフィン部４３ｄが設けられている。
【００４７】
また、第２実施形態では、放熱板４３ａには、Ｙ方向に突出した係合部４３ｅおよび４３ｆが一体的に形成されている。この係合部４３ｅおよび４３ｆは、互いに異なる形状に形成されている。すなわち、係合部４３ｅは、Ｙ方向に延びる突出部４３ｇと、マザー基板６０の表面に向かって略垂直に延びる屈曲部４３ｈとからなり、係合部４３ｆは、Ｙ方向に延びる突出部４３ｉからなる。なお、係合部４３ｅおよび４３ｆは、本発明の「固定部材」の一例であり、屈曲部４３ｈは、本発明の「垂直部」の一例である。
【００４８】
また、第２実施形態では、図５に示すように、屈曲部４３ｈは、シールドケース４１の外側に配置されているとともに、シールドケース４１の外側の表面に接触するように配置されている。また、屈曲部４３ｈは、マザー基板６０側の端部４３ｊがマザー基板６０の表面に形成されたグランド配線（図示せず）に接触するように配置されている。なお、屈曲部４３ｈは、端部４３ｊがマザー基板６０のグランド配線（図示せず）に半田付けされていてもよい。
【００４９】
チューナ部５０は、板金製のシールドケース５１と、シールドケース５１内に収納されたチューナ回路部品２２とによって構成されている。
【００５０】
シールドケース５１には、上記第１実施形態と同様、アンテナ（図示せず）が挿入されるアンテナ接続口５１ａが設けられている。
【００５１】
また、第２実施形態では、シールドケース５１の上面５１ｂおよび下面５１ｃには、それぞれ、Ａ方向の他方側に突出した挿入部５１ｄが２つずつ設けられている。
【００５２】
マザー基板６０には、シールドケース４１の挿入部４１ｇと、シールドケース５１の挿入部５１ｄとが挿入される複数の挿入孔６０ａが形成されている。そして、シールドケース４１の挿入部４１ｇと、シールドケース５１の挿入部５１ｄとが、マザー基板６０の挿入孔６０ａに挿入されるとともに半田付けされることにより、受信装置１ａがマザー基板６０に固定されている。
【００５３】
なお、第２実施形態の受信装置１ａのその他の構造は、上記第１実施形態の受信装置１と同様である。
【００５４】
第２実施形態では、上記のように、係合部４３ｅを、係合部４３ｆとは異なる形状に形成することによって、放熱器４３がシールドケース４１に対して正しい向きに取り付けられているか否かを容易に識別することができるとともに、シールドケース４１がマザー基板６０に対して正しい向きに固定されているか否かも容易に識別することができる。
【００５５】
また、第２実施形態では、係合部４３ｅに、基板６０の表面に向かって略垂直に延びる屈曲部４３ｈを設けることによって、係合部４３ｅの屈曲部４３ｈを、容易に、基板６０に対して接触させることができる。これにより、放熱器４３の熱を係合部４３ｅを介して基板６０に放熱させることができるので、放熱器４３の放熱性を向上させることができる。
【００５６】
また、第２実施形態では、係合部４３ｅの屈曲部４３ｈを、シールドケース４１の表面に形成されたグランド配線（図示せず）に接触させることによって、放熱器４３の熱を係合部４３ｅを介してシールドケース４１に、容易に放熱させることができるので、放熱器４３の放熱性を、容易により向上させることができる。
【００５７】
なお、第２実施形態のその他の効果は、上記第１実施形態と同様である。
【００５８】
（第３実施形態）
図７は、本発明の第３実施形態による受信装置を横向きに配置して用いる場合の構造を示した斜視図である。図７を参照して、この第３実施形態では、上記第１実施形態および第２実施形態とは異なり、本体部７０およびチューナ部８０が１つのシールドケース９０に収納される場合について説明する。
【００５９】
本発明の第３実施形態による受信装置１ｂは、図７に示すように、本体部７０と、チューナ部８０と、本体部７０およびチューナ部８０を接続する複数の電気配線３０と、本体部７０およびチューナ部８０を収納する板金製の１つのシールドケース９０とを備えている。
【００６０】
シールドケース９０は、対向する上面９０ａおよび下面９０ｂと、対向する一対の側面９０ｃおよび９０ｄとが折り曲げられることによって、Ａ方向の一方側が開口した箱型に形成されている。また、一対の側面９０ｃおよび９０ｄの間には、仕切り板９０ｅが配置されている。
【００６１】
また、シールドケース９０の対向する上面９０ａおよび下面９０ｂには、上記第１実施形態および第２実施形態と同様、互いに対向する位置に固定部９０ｆがそれぞれ形成されている。また、シールドケース９０の側面９０ｃおよび仕切り板９０ｅにも、上記第１実施形態および第２実施形態と同様、互いに対向する位置に固定部９０ｇがそれぞれ形成されている。なお、固定部９０ｆは、本発明の「第１固定部」の一例であり、固定部９０ｇは、本発明の「第２固定部」の一例である。
【００６２】
また、シールドケース９０の上面９０ａおよび下面９０ｂには、Ａ方向の他方側に突出した挿入部９０ｈが２つずつ設けられている。
【００６３】
また、シールドケース９０には、上記第１実施形態および第２実施形態と同様、アンテナ（図示せず）が挿入されるアンテナ接続口９０ｉが設けられている。
【００６４】
本体部７０は、シールドケース９０内に収納された基板１２と、シールドケース９０に取り付けられた放熱器７３とを含んでいる。
【００６５】
放熱器７３は、上記第１実施形態および第２実施形態と同様、Ｘ方向の長さがそれぞれ異なるコの字形状の放熱板７３ａ、７３ｂおよび７３ｃにより構成されている。また、放熱板７３ａ、７３ｂおよび７３ｃには、それぞれ、一対のフィン部７３ｄが設けられている。
【００６６】
また、放熱板７３ａには、上記第２実施形態と同様、Ｙ方向に突出した係合部７３ｅおよび７３ｆが一体的に形成されている。この係合部７３ｅおよび７３ｆは、互いに異なる形状に形成されている。すなわち、係合部７３ｅは、Ｙ方向に延びる突出部７３ｇと、マザー基板６１の表面に向かって略垂直に延びる屈曲部７３ｈとからなり、係合部７３ｆは、Ｙ方向に延びる突出部７３ｉからなる。なお、係合部７３ｅおよび７３ｆは、本発明の「固定部材」の一例であり、屈曲部７３ｈは、本発明の「垂直部」の一例である。
【００６７】
また、第３実施形態では、屈曲部７３ｈは、シールドケース９０の外側の表面に接触するように配置されている。また、屈曲部７３ｈは、マザー基板６１の後述する挿入孔６１ｂに挿入された状態で、マザー基板６１の表面に形成されたグランド配線（図示せず）に半田付けされている。
【００６８】
マザー基板６１には、シールドケース９０の挿入部９０ｈが挿入される複数の挿入孔６１ａと、放熱器７３の屈曲部７３ｈが挿入される挿入孔６１ｂとが形成されている。
【００６９】
なお、第３実施形態の受信装置１ｂのその他の構造は、上記第１実施形態および第２実施形態と同様である。
【００７０】
第３実施形態では、上記のように、係合部７３ｅに、マザー基板６１の表面に向かって略垂直に延びる屈曲部７３ｈを設けることによって、係合部７３ｅの屈曲部７３ｈを、容易に、マザー基板６１の挿入孔６１ｂに挿入させることができる。これにより、放熱器７３の熱を係合部７３ｅを介してマザー基板６１に放熱させることができるので、放熱器７３の放熱性を向上させることができる。
【００７１】
なお、第３実施形態のその他の効果は、上記第１実施形態と同様である。
【００７２】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００７３】
たとえば、上記実施形態では、本発明の受信装置を、デジタルテレビジョン放送等の高周波信号を受信する受信装置に適用した例について示したが、本発明はこれに限らず、デジタルテレビジョン放送以外の信号を受信する受信装置に適用してもよい。
【００７４】
また、上記実施形態では、放熱器と固定部材とを一体的に形成した例について示したが、本発明はこれに限らず、固定部材を放熱器とは別体で設けてもよい。
【００７５】
また、上記実施形態では、放熱器の放熱板を、接着剤などにより貼り合わせた例について示したが、本発明はこれに限らず、図８に示した変形例による放熱器９３のように、板金部材９３ａをかしめることにより、複数の放熱板９３ｂ、９３ｃおよび９３ｄを固定してもよい。また、１つの部材からなる放熱器を用いてもよい。
【００７６】
また、上記実施形態では、シールドケースの固定部に３つのスリットと一対の凸部とを設けるとともに、一対の凸部を放熱器の係合部側に変形させてかしめることにより、放熱器をシールドケースに固定した例について示したが、本発明はこれに限らず、放熱器を固定できれば、シールドケースの固定部にスリットや凸部を設けなくてもよい。また、シールドケースの固定部に半田付けにより放熱器を固定してもよい。
【図面の簡単な説明】
【００７７】
【図１】本発明の第１実施形態による受信装置を横向きに配置して用いる場合の構造を示した斜視図である。
【図２】本発明の第１実施形態による受信装置を縦向きに配置して用いる場合の構造を示した斜視図である。
【図３】図１に示した本発明の第１実施形態による受信装置のシールドケースの固定部の構造を示した拡大図である。
【図４】図１に示した本発明の第１実施形態による受信装置の放熱器の構造を示した斜視図である。
【図５】本発明の第２実施形態による受信装置を横向きに配置して用いる場合の構造を示した斜視図である。
【図６】図５に示した本発明の第２実施形態による受信装置の放熱器の構造を示した斜視図である。
【図７】本発明の第３実施形態による受信装置を横向きに配置して用いる場合の構造を示した斜視図である。
【図８】本発明の変形例による放熱器の構造を示した斜視図である。
【符号の説明】
【００７８】
１、１ａ、１ｂ  受信装置
１１、４１、９０  シールドケース
１１ｅ、４１ｅ、９０ｆ  固定部（第１固定部）
１１ｆ、４１ｆ、９０ｇ  固定部（第２固定部）
１２  基板
１２ａ  デジタル復調回路部品（回路部品）
１２ｂ  中間周波数処理回路部品（回路部品、所定周波数処理回路部品）
１２ｃ  映像音声処理回路部品（回路部品）
１２ｄ  映像音声処理用メモリ（回路部品）
１２ｅ  映像音声出力回路部品（回路部品）
１３、４３、７３、９３  放熱器
１３ｅ、４３ｅ、４３ｆ、７３ｅ、７３ｆ  係合部（固定部材）
２２  チューナ回路部品
４３ｈ、７３ｈ  屈曲部（垂直部）
６０、６１  マザー基板
【図１】
2009105243.tif 000003
【図２】
2009105243.tif 000004
【図３】
2009105243.tif 000005
【図４】
2009105243.tif 000006
【図５】
2009105243.tif 000007
【図６】
2009105243.tif 000008
【図７】
2009105243.tif 000009
【図８】
2009105243.tif 000010